(57)【要約】  パルス変調を介して互いに通信する送信デバイスと受信デバイスとの同期のためのシステムおよび方法が開示される。本同期技法は、送信デバイスが受信デバイスに１つまたは複数の準周期的パルスシーケンスを送ることを伴う。準周期的パルスシーケンスは、概周期的パルスシーケンスに基づき、いくつかの非周期的パルスを含むこともあり、いくつかの周期的パルスを含まないこともある。送信デバイスは、１つまたは複数の準周期的パルスシーケンスを備えるプリアンブルと、データを備え得るデータペイロードとをそれぞれ含むフレームを送信し得る。受信デバイスは、信号を受信し、信号のサンプルを生成し、パルスに関連するサンプルと概周期的パルスシーケンスに関連する周期とに基づいてサンプルを分析することによって受信信号中の準周期的パルスシーケンスを検出する。受信デバイスはさらに、シーケンスの検出に基づいてフレームを検出し、そこからデータを抽出することが可能である。
2013532419.tif 000002
【特許請求の範囲】
【請求項１】
信号を送信する方法であって、
概周期的パルスシーケンスに基づいて準周期的パルスシーケンスを生成することと、
前記準周期的パルスシーケンスを備える前記信号を送信することと
を備える、方法。
【請求項２】
前記準周期的パルスシーケンスが、第１のレートのパルスのシーケンスを備え、前記概周期的パルスシーケンスが、第２のレートの周期的パルスのシーケンスを備える、請求項１に記載の方法。
【請求項３】
前記第１のレートが前記第２のレートよりも大きい、請求項２に記載の方法。
【請求項４】
前記準周期的パルスシーケンスが、前記概周期的パルスシーケンス＋１つまたは複数の非周期的パルスに基づく、請求項３に記載の方法。
【請求項５】
前記第１のレートが前記第２のレートよりも小さい、請求項２に記載の方法。
【請求項６】
前記準周期的パルスシーケンスが、前記概周期的パルスシーケンス−１つまたは複数の周期的パルスに基づく、請求項５に記載の方法。
【請求項７】
前記準周期的パルスシーケンスのパルスが、それぞれパルス間隔内に位置し、さらに、前記準周期的パルスシーケンスの各パルスが、各パルス間隔内の時間ホッピング間隔内に位置する、請求項１に記載の方法。
【請求項８】
前記第１のレートは、前記信号がそれを介して送信される通信チャネルを定義するために使用される、請求項２に記載の方法。
【請求項９】
データペイロードと、前記準周期的パルスシーケンスを含むプリアンブルとを備えるフレームを生成することをさらに備え、前記送信信号が前記フレームを備える、請求項１に記載の方法。
【請求項１０】
信号を送信するための装置であって、
概周期的パルスシーケンスに基づいて準周期的パルスシーケンスを生成するように適応されたパルスシーケンス生成器と、
前記準周期的パルスシーケンスを備える前記信号を送信するように適応された送信機と
を備える、装置。
【請求項１１】
前記準周期的パルスシーケンスが、第１のレートのパルスのシーケンスを備え、前記概周期的パルスシーケンスが、第２のレートの周期的パルスのシーケンスを備える、請求項１０に記載の装置。
【請求項１２】
前記第１のレートが前記第２のレートよりも大きい、請求項１１に記載の装置。
【請求項１３】
前記準周期的パルスシーケンスが、前記概周期的パルスシーケンス＋１つまたは複数の非周期的パルスに基づく、請求項１２に記載の装置。
【請求項１４】
前記第１のレートが前記第２のレートよりも小さい、請求項１１に記載の装置。
【請求項１５】
前記準周期的パルスシーケンスが、前記概周期的パルスシーケンス−１つまたは複数の周期的パルスに基づく、請求項１４に記載の装置。
【請求項１６】
前記準周期的パルスシーケンスのパルスが、それぞれパルス間隔内に位置し、さらに、前記準周期的パルスシーケンスの各パルスが、各パルス間隔内の時間ホッピング間隔内に位置する、請求項１０に記載の装置。
【請求項１７】
前記第１のレートは、前記信号がそれを介して送信される通信チャネルを定義するために使用される、請求項１１に記載の装置。
【請求項１８】
データペイロードと、前記準周期的パルスシーケンスを含むプリアンブルとを備えるフレームを生成するように適応されたフレーム生成器をさらに備え、前記送信信号が前記フレームを備える、請求項１０に記載の装置。
【請求項１９】
信号を送信するための装置であって、
概周期的パルスシーケンスに基づいて準周期的パルスシーケンスを生成するための手段と、
前記準周期的パルスシーケンスを備える前記信号を送信するための手段と
を備える、装置。
【請求項２０】
前記準周期的パルスシーケンスが、第１のレートのパルスのシーケンスを備え、前記概周期的パルスシーケンスが、第２のレートの周期的パルスのシーケンスを備える、請求項１９に記載の装置。
【請求項２１】
前記第１のレートが前記第２のレートよりも大きい、請求項２０に記載の装置。
【請求項２２】
前記準周期的パルスシーケンスが、前記概周期的パルスシーケンス＋１つまたは複数の非周期的パルスに基づく、請求項２１に記載の装置。
【請求項２３】
前記第１のレートが前記第２のレートよりも小さい、請求項２０に記載の装置。
【請求項２４】
前記準周期的パルスシーケンスが、前記概周期的パルスシーケンス−１つまたは複数の周期的パルスに基づく、請求項２３に記載の装置。
【請求項２５】
前記準周期的パルスシーケンスのパルスが、それぞれパルス間隔内に位置し、さらに、前記準周期的パルスシーケンスの各パルスが、各パルス間隔内の時間ホッピング間隔内に位置する、請求項１９に記載の装置。
【請求項２６】
前記第１のレートは、前記信号がそれを介して送信される通信チャネルを定義するために使用される、請求項２０に記載の装置。
【請求項２７】
データペイロードと、前記準周期的パルスシーケンスを含むプリアンブルとを備えるフレームを生成するための手段をさらに備え、前記送信信号が前記フレームを備える、請求項１９に記載の装置。
【請求項２８】
概周期的パルスシーケンスに基づいて準周期的パルスシーケンスを生成することと、
前記準周期的パルスシーケンスを備える前記信号を送信することと
を行うための、装置によって実行可能な命令を備えるコンピュータ可読媒体
を備える、コンピュータプログラム製品。
【請求項２９】
オーディオデータを生成するように適応されたトランスデューサと、
概周期的パルスシーケンスに基づいて準周期的パルスシーケンスを生成するように適応されたパルスシーケンス生成器と、
前記オーディオデータと前記準周期的パルスシーケンスとを備える信号を送信するように適応された送信機と
を備える、ヘッドセット。
【請求項３０】
データを生成するように適応されたユーザインターフェースと、
概周期的パルスシーケンスに基づいて準周期的パルスシーケンスを生成するように適応されたパルスシーケンス生成器と、
前記データと前記準周期的パルスシーケンスとを備える信号を送信するように適応された送信機と
を備える、ウォッチ。
【請求項３１】
感知パラメータに基づいてデータを生成するように適応されたセンサと、
概周期的パルスシーケンスに基づいて準周期的パルスシーケンスを生成するように適応されたパルスシーケンス生成器と、
前記データと前記準周期的パルスシーケンスとを備える信号を送信するように適応された送信機と
を備える、感知デバイス。
【請求項３２】
信号を処理する方法であって、
前記信号を受信することと、
前記受信信号のサンプルを生成することと、
前記受信信号の前記サンプルを分析することによって前記受信信号中の準周期的パルスシーケンスを検出することであって、前記準周期的パルスシーケンスが概周期的パルスシーケンスに基づく、検出することと
を備える、方法。
【請求項３３】
前記準周期的パルスシーケンスを検出することが、
前記受信信号中の第１のパルスに関連する前記生成されたサンプルのうちの第１のサンプルを判断することと、
前記第１のサンプルと、前記概周期的パルスシーケンスに関連する周期とに基づいて、前記生成されたサンプルのうちのサンプルの第１の分析を実行することと
を備える、請求項３２に記載の方法。
【請求項３４】
前記準周期的パルスシーケンスを検出することが、
前記サンプルの前記第１の分析の結果として前記準周期的パルスシーケンスの前記検出が行われたかどうかを判断することと、
前記第１の分析の結果として前記準周期的パルスシーケンスの前記検出が行われなかった場合、前記受信信号中の第２のパルスに関連する前記生成されたサンプルのうちの第２のサンプルを判断することと、
前記第２のサンプルと、前記概周期的パルスシーケンスに関連する前記周期とに基づいて、前記生成されたサンプルのうちのサンプルの第２の分析を実行することと
をさらに備える、請求項３３に記載の方法。
【請求項３５】
前記第１の分析を実行することが、前記第１のサンプルからの、前記周期の整数倍である前記生成されたサンプルのうちのサンプルを分析することを備える、請求項３３に記載の方法。
【請求項３６】
前記準周期的パルスシーケンスの前記検出に基づいてフレームを検出することをさらに備える、請求項３２に記載の方法。
【請求項３７】
前記フレームを検出することが、前記準周期的パルスシーケンスの前記検出に関連するタイミング情報に基づく、請求項３６に記載の方法。
【請求項３８】
前記フレームのデータペイロード部分内の前記受信信号のサンプルを分析することによって、前記フレームからデータを抽出することをさらに備える、請求項３６に記載の方法。
【請求項３９】
信号を処理するための装置であって、
前記信号を受信するように適応された受信機と、
前記受信信号のサンプルを生成するように適応されたサンプル生成器と、
前記受信信号の前記サンプルを分析することによって前記受信信号中の準周期的パルスシーケンスを検出するように適応された準周期的シーケンス検出器であって、前記準周期的パルスシーケンスが概周期的パルスシーケンスに基づく、準周期的シーケンス検出器と
を備える、装置。
【請求項４０】
前記準周期的シーケンス検出器が、
前記受信信号中の第１のパルスに関連する前記生成されたサンプルのうちの第１のサンプルを判断することと、
前記第１のサンプルと、前記概周期的パルスシーケンスに関連する周期とに基づいて、前記生成されたサンプルのうちのサンプルの第１の分析を実行することと
を行うように適応された、請求項３９に記載の装置。
【請求項４１】
前記準周期的シーケンス検出器が、
前記サンプルの前記第１の分析の結果として前記準周期的パルスシーケンスの前記検出が行われたかどうかを判断することと、
前記第１の分析の結果として前記準周期的パルスシーケンスの前記検出が行われなかった場合、前記受信信号中の第２のパルスに関連する前記生成されたサンプルのうちの第２のサンプルを判断することと、
前記第２のサンプルと、前記概周期的パルスシーケンスに関連する前記周期とに基づいて、前記生成されたサンプルのうちのサンプルの第２の分析を実行することと
を行うようにさらに適応された、請求項４０に記載の装置。
【請求項４２】
前記準周期的シーケンス検出器が、前記第１のサンプルからの、前記周期の整数倍である前記生成されたサンプルのうちのサンプルを分析するようにさらに適応された、請求項４０に記載の装置。
【請求項４３】
前記準周期的パルスシーケンスの前記検出に基づいてフレームを検出するように適応されたフレーム検出器をさらに備える、請求項３９に記載の装置。
【請求項４４】
前記フレーム検出器が、前記準周期的パルスシーケンスの前記検出に関連するタイミング情報に基づいて前記フレームを検出するように適応された、請求項４３に記載の装置。
【請求項４５】
前記フレームのデータペイロード部分内の前記受信信号のサンプルを分析することによって、前記フレームからデータを抽出するように適応されたデータ抽出器をさらに備える、請求項４３に記載の装置。
【請求項４６】
信号を処理するための装置であって、
前記信号を受信するための手段と、
前記受信信号のサンプルを生成するための手段と、
前記受信信号の前記サンプルを分析することによって前記受信信号中の準周期的パルスシーケンスを検出するための手段であって、前記準周期的パルスシーケンスが概周期的パルスシーケンスに基づく、検出するための手段と
を備える、装置。
【請求項４７】
前記準周期的パルスシーケンスを検出するための前記手段が、
前記受信信号中の第１のパルスに関連する前記生成されたサンプルのうちの第１のサンプルを判断するための手段と、
前記第１のサンプルと、前記概周期的パルスシーケンスに関連する周期とに基づいて、前記生成されたサンプルのうちのサンプルの第１の分析を実行するための手段と
を備える、請求項４６に記載の装置。
【請求項４８】
前記準周期的パルスシーケンスを検出するための前記手段が、
前記サンプルの前記第１の分析の結果として前記準周期的パルスシーケンスの前記検出が行われたかどうかを判断するための手段と、
前記第１の分析の結果として前記準周期的パルスシーケンスの前記検出が行われなかった場合、前記受信信号中の第２のパルスに関連する前記生成されたサンプルのうちの第２のサンプルを判断するための手段と、
前記第２のサンプルと、前記概周期的パルスシーケンスに関連する前記周期とに基づいて、前記生成されたサンプルのうちのサンプルの第２の分析を実行するための手段と
をさらに備える、請求項４７に記載の装置。
【請求項４９】
前記第１の分析を実行するための前記手段が、前記第１のサンプルからの、前記周期の整数倍である前記生成されたサンプルのうちのサンプルを分析するための手段を備える、請求項４７に記載の装置。
【請求項５０】
前記準周期的パルスシーケンスの前記検出に基づいてフレームを検出するための手段をさらに備える、請求項４６に記載の装置。
【請求項５１】
前記フレームを検出するための前記手段が、前記準周期的パルスシーケンスの前記検出に関連するタイミング情報に基づいて前記フレームを検出するように適応された、請求項５０に記載の装置。
【請求項５２】
前記フレームのデータペイロード部分内の前記受信信号のサンプルを分析することによって、前記フレームからデータを抽出するための手段をさらに備える、請求項５０に記載の装置。
【請求項５３】
信号を受信することと、
前記受信信号のサンプルを生成することと、
前記受信信号の前記サンプルを分析することによって前記受信信号中の準周期的パルスシーケンスを検出することであって、前記準周期的パルスシーケンスが概周期的パルスシーケンスに基づく、検出することと
を行うための、装置によって実行可能な命令を備えるコンピュータ可読媒体
を備える、コンピュータプログラム製品。
【請求項５４】
信号を受信するように適応された受信機と、
前記受信信号のサンプルを生成するように適応されたサンプル生成器と、
前記受信信号の前記サンプルを分析することによって前記受信信号中の準周期的パルスシーケンスを検出するように適応された準周期的シーケンス検出器であって、前記準周期的パルスシーケンスが概周期的パルスシーケンスに基づく、準周期的シーケンス検出器と、
前記受信信号に基づいてオーディオデータを生成するように適応されたトランスデューサと
を備える、ヘッドセット。
【請求項５５】
信号を受信するように適応された受信機と、
前記受信信号のサンプルを生成するように適応されたサンプル生成器と、
前記受信信号の前記サンプルを分析することによって前記受信信号中の準周期的パルスシーケンスを検出するように適応された準周期的シーケンス検出器であって、前記準周期的パルスシーケンスが概周期的パルスシーケンスに基づく、準周期的シーケンス検出器と、
前記受信信号に基づいて指示を生成するように適応されたユーザインターフェースと
を備える、ウォッチ。
【請求項５６】
信号を受信するように適応された受信機と、
前記受信信号のサンプルを生成するように適応されたサンプル生成器と、
前記受信信号の前記サンプルを分析することによって前記受信信号中の準周期的パルスシーケンスを検出するように適応された準周期的シーケンス検出器であって、前記準周期的パルスシーケンスが概周期的パルスシーケンスに基づく、準周期的シーケンス検出器と、
前記受信信号に基づいてパラメータを感知するように適応されたセンサと
を備える、感知デバイス。
【発明の詳細な説明】
【技術分野】
【０００１】
関連出願の相互参照
本出願は、参照により本明細書に組み込まれる、２０１０年５月２７日に出願された「System and Method for Transmitting and Receiving Signal with Quasi-Periodic Pulse Sequence」と題する米国仮出願第６１／３４８，８９９号の出願日の利益を主張する。
【０００２】
本開示は、一般に通信システムに関し、詳細には、１つまたは複数の準周期的パルスシーケンスを含む信号を送信および受信するためのシステムおよび方法に関する。
【背景技術】
【０００３】
通信システムでは、しばしば、信号がワイヤレス媒体を介してソース通信デバイスからターゲット通信デバイスに送信される。これらの通信デバイスは、一般に、ワイヤレス媒体を介して長い距離にわたって信号を送信するために送信機を採用する。多くの場合、信号が送信されているか否かにかかわらず、送信機は連続的に動作させられる。ある場合には、送信機を連続的に動作させることが許容でき得る。しかしながら、他の場合には、特に関連する電源が限られているときには、通信デバイスは長い時間にわたって連続的に動作させられないことがあるので、それは望ましくないことがある。
【０００４】
たとえば、セルラー電話、携帯情報端末（ＰＤＡ）、ハンドヘルド製品、および他のデバイスなど、多くの通信デバイスはポータブルである。ポータブル通信デバイスは、一般に、様々な意図された動作を実行するためにバッテリーなどの限られた電源に依拠する。限られた電源は、一般に、ポータブルデバイスによって使用される電力量に依存する連続使用寿命を有する。概して、その連続使用寿命をできる限り延長することが望ましい。したがって、ポータブル通信デバイスは、よりいっそう少ない電力を消費するようにより頻繁に設計される。
【０００５】
より電力効率が高い方法で送信機を動作させるための１つの技法は、信号を送信するためにパルスベース変調技法（たとえば、パルス位置変調）を使用することである。そのようなシステムでは、送信機が、パルス信号の送信中に比較的高電力モードで動作させられ得る。しかしながら、送信機がパルス信号を送信するために使用されていないとき、送信機は、電力を温存するために比較的低電力モードで動作させられる。同様に、そのようなシステムでは、受信機は、パルス信号の受信中には比較的高電力モードで動作させられ、信号を受信していないときには、比較的低電力モードで動作させられ得る。
【０００６】
パルスが到着することが予想されるときを受信機が知るために、一般に、送信機と受信機との間でのパルス信号の送信を同期させるための技法が採用される。１つのそのような技法は、送信機が、パルスシーケンスのアプリオリな知識を有する受信機にそのシーケンスを送信することである。パルスシーケンスがアプリオリな方法で送信された場合、信号の受信は信号の送信と同期され得る。これにより、パルスが受信されることが予想されるとき、または受信されないことが予想されるときを受信機が知ることが可能になり、したがって受信機は、それに応じて比較的高電力モードおよび低電力モードで動作し得る。
【発明の概要】
【０００７】
本開示の態様は、信号を送信する方法であって、概周期的パルスシーケンスに基づいて準周期的パルスシーケンスを生成することと、準周期的パルスシーケンスを備える信号を送信することとを備える、方法に関する。さらに別の態様では、準周期的パルスシーケンスは、第１のレートのパルスのシーケンスを備え、概周期的パルスシーケンスは、第１のレートとは異なる第２のレートのパルスのシーケンスを備える。
【０００８】
別の態様によれば、第１のレートは第２のレートよりも大きい。別の態様では、準周期的パルスシーケンスは、概周期的パルスシーケンス＋１つまたは複数の非周期的パルスに基づく。
【０００９】
さらに別の態様によれば、第１のレートは第２のレートよりも小さい。別の態様では、準周期的パルスシーケンスは、概周期的パルスシーケンス−１つまたは複数の周期的パルスに基づく。
【００１０】
さらに別の態様によれば、準周期的パルスシーケンスのパルスは、それぞれパルス間隔内に位置し、さらに、準周期的パルスシーケンスの各パルスは、各パルス間隔内の時間ホッピング間隔内に位置する。別の態様では、第１のレートは、信号がそれを介して送信される通信チャネルを定義するために使用される。さらに別の態様では、本方法は、準周期的パルスシーケンスを含むプリアンブルと、データペイロードとを備えるフレームを生成することをさらに備え、送信信号はフレームを備える。
【００１１】
本開示の別の態様は、信号を処理する方法であって、信号を受信することと、受信信号のサンプルを生成することと、受信信号のサンプルを分析することによって受信信号中の準周期的パルスシーケンスを検出することであって、準周期的パルスシーケンスが概周期的パルスシーケンスに基づく、検出することとを備える、方法に関する。別の態様では、準周期的パルスシーケンスを検出することは、受信信号中の第１のパルスに関連する生成されたサンプルのうちの第１のサンプルを判断することと、第１のサンプルと、概周期的パルスシーケンスに関連する周期とに基づいて、生成されたサンプルのうちのサンプルの第１の分析を実行することとを備える。別の態様では、サンプルの第１の分析を実行することは、第１のサンプルからの、周期の整数倍である生成されたサンプルのうちのサンプルを分析することを備える。
【００１２】
さらに別の態様では、準周期的パルスシーケンスを検出することは、サンプルの第１の分析の結果として準周期的パルスシーケンスの検出が行われたかどうかを判断することと、第１の分析の結果として準周期的パルスシーケンスの検出が行われなかった場合、受信信号中の第２のパルスに関連する生成されたサンプルのうちの第２のサンプルを判断することと、第２のサンプルと、概周期的パルスシーケンスに関連する周期とに基づいて、生成されたサンプルのうちのサンプルの第２の分析を実行することとをさらに備える。
【００１３】
さらに別の態様では、本方法は、準周期的パルスシーケンスの検出に基づいてフレームを検出することをさらに備える。別の態様では、フレームを検出することは、準周期的パルスシーケンスの検出に関連するタイミング情報に基づく。さらに別の態様では、準周期的パルスシーケンスはフレームのプリアンブル内に位置し、フレームはデータペイロードを備え、本方法は、データペイロードからデータを抽出することをさらに備える。
【００１４】
本開示の他の態様、利点および新規の特徴は、本開示の以下の発明を実施するための形態を添付の図面とともに考察すると明らかになろう。
【図面の簡単な説明】
【００１５】
【図１】本開示の一態様による例示的な送信機のブロック図。
【図２】本開示の別の態様による例示的なフレームの信号図。
【図３】本開示の別の態様による例示的な準周期的パルスシーケンスのグラフ。
【図４】本開示の別の態様による別の例示的な準周期的パルスシーケンスのグラフ。
【図５】本開示の別の態様による、１つまたは複数の準周期的パルスシーケンスを備える信号を送信する例示的な方法の流れ図。
【図６】本開示の別の態様による、信号を送信するための例示的な装置のブロック図。
【図７】本開示の別の態様による例示的な受信機のブロック図。
【図８】本開示の別の態様による、受信信号中の１つまたは複数の準周期的パルスシーケンスを検出する例示的な方法の流れ図。
【図９】本開示の別の態様による、信号を処理するための例示的な装置のブロック図。
【図１０】本開示の別の態様による例示的な通信デバイスのブロック図。
【図１１Ａ】本開示の別の態様によるパルス変調技法のタイミング図。
【図１１Ｂ】本開示の別の態様によるパルス変調技法のタイミング図。
【図１１Ｃ】本開示の別の態様によるパルス変調技法のタイミング図。
【図１１Ｄ】本開示の別の態様によるパルス変調技法のタイミング図。
【図１２】本開示の別の態様による、様々なチャネルを介して互いに通信する様々な通信デバイスのブロック図。
【発明を実施するための形態】
【００１６】
本開示の様々な態様について以下で説明する。本明細書の教示は多種多様な形態で実施され得、本明細書で開示されている特定の構造、機能、またはその両方は代表的なものにすぎないことは明らかであろう。本明細書の教示に基づいて、本明細書で開示される態様は他の態様とは独立に実装され得ること、およびこれらの態様のうちの２つ以上は様々な方法で組み合わせられ得ることを、当業者なら諒解されたい。たとえば、本明細書に記載の態様をいくつ使用しても、装置を実装し、または方法を実施し得る。さらに、本明細書に記載の態様のうちの１つまたは複数に加えて、あるいはそれら以外の他の構造、機能、または構造および機能を使用して、そのような装置を実装し得、またはそのような方法を実施し得る。
【００１７】
図１に、本開示の一態様による例示的な送信機１００のブロック図を示す。要約すれば、送信機１００は、プリアンブルとデータペイロードとを備える送信フレームを生成し、送信するように適応される。プリアンブルは、１つまたは複数のフレームを検出するための、受信機の同期のために使用される１つまたは複数の準周期的パルスシーケンスを備える。準周期的パルスシーケンスは概周期的パルスシーケンスに基づく。ある態様では、準周期的パルスシーケンスは、第１のレートのパルスのシーケンスを備え、概周期的パルスシーケンスは、第１のレートとは異なる第２のレートの周期的パルスのシーケンスを備える。第１のレートが第２のレートよりも大きい場合、準周期的パルスシーケンスは、概周期的パルスシーケンス＋１つまたは複数の非周期的パルスに基づく。一方、第１のレートが第２のレートよりも小さい場合、準周期的パルスシーケンスは、概周期的パルスシーケンス−１つまたは複数の周期的パルスに基づく。準周期的パルスシーケンスのパルスは、各々が定義された数の時間ホッピング間隔を備える周期的パルス間隔内にそれぞれ常駐する。したがって、パルス間隔の周期Ｐ０は第１のレート（たとえば、第１のレート＝１／Ｐ０）に関係する。各パルスは超広帯域（ＵＷＢ）パルスであり得る。
【００１８】
概周期的パルスシーケンスのパルスの周期Ｐがパルス間隔の周期Ｐ０よりも小さい（たとえば、第１のレートが第２のレートよりも小さい）場合は、周期Ｐに従って２つ以上のパルスが位置するであろう各パルス間隔内に１つまたは複数の周期的パルスの送信が抑制される。これは、パルス間隔ごとにただ１つのパルスが送信されることを保証するためである。同様に、概周期的パルスシーケンスのパルスの周期Ｐがパルス間隔の周期Ｐ０よりも大きい（たとえば、第１のレートが第２のレートよりも大きい）場合は、周期Ｐに従ってパルスが存在しない各パルス間隔内にダミーまたは非周期的パルスの送信が挿入される。これは、各パルス間隔が単一のパルスを含むことを保証するためである。
【００１９】
より詳細には、送信機１００は、データソース１０２と、チャネルコントローラ１０４と、パルスシーケンス生成器１０６と、フレーム生成器１０８と、パルス変調器１１０と、無線周波数（ＲＦ）回路１１２と、アンテナ１１４とを備える。データソース１０２は、送信されたフレームのデータペイロードのためのデータを生成するように適応される。チャネルコントローラ１０４は、フレームの送信のためのアクティブチャネルを割り当てるように適応される。アクティブチャネルは、準周期的パルスシーケンスのパルスのための周期Ｐを定義する。パルスシーケンス生成器１０６は、アクティブチャネルに基づいて１つまたは複数の準周期的シーケンスを生成するように適応される。
【００２０】
フレーム生成器１０８は、プリアンブルとデータペイロードとを備える送信フレームを形成するように適応される。この点について、フレーム生成器１０８は、パルスシーケンス生成器１０６によって生成された１つまたは複数の準周期的パルスシーケンスを送信フレームのプリアンブル中に位置させるように適応される。さらに、フレーム生成器１０８は、データソース１０２からのデータを送信フレームのデータペイロード中に置くように適応される。パルス変調器１１０は、データフレームを変調してパルス変調フレームを生成する。ＲＦモジュール１１２は、アンテナ１１４を介したリモートデバイスへのワイヤレス送信のためのパルス変調フレームを備える出力ＲＦ信号を生成する。
【００２１】
パルスシーケンス生成器１０６は、回路、プロセッサ、特定用途向け集積回路（ＡＳＩＣ）、プログラマブル論理アレイ（ＰＬＡ）、それらの任意の組合せ、または他の電子機器として実装され得る、準周期的パルスシーケンスを生成するための手段の一例にすぎない。ＲＦ回路１１２は、送信機、回路、プロセッサ、ＡＳＩＣ、ＰＬＡ、それらの任意の組合せ、または他の電子機器として実装され得る、信号を送信するための手段の一例にすぎない。同様に、フレーム生成器１０８は、回路、プロセッサ、ＡＳＩＣ、ＰＬＡ、それらの任意の組合せ、または他の電子機器として実装され得る、フレームを生成するための手段の一例にすぎない。
【００２２】
図２に、本開示の別の態様による例示的な送信フレーム２００の信号図を示す。前に説明したように、送信フレーム２００は、プリアンブル２０２とデータペイロード２０４とを備える。プリアンブルは、１つまたは複数の準周期的パルスシーケンスを備える。準周期的パルスシーケンスは連続的に配置され得る。準周期的パルスシーケンスは、送信されたフレームとの同期および／またはそれの獲得に関連する受信機を支援する。データペイロード２０４は、受信機に送信するためのデータのために予約される。送信フレーム２００は、空であるデータペイロード２０４を含む（たとえば、データペイロード中にデータが存在しない）ことがあることを理解されたい。
【００２３】
図３に、本開示の別の態様による例示的な準周期的パルスシーケンスのグラフを示す。この例では、準周期的パルスシーケンスのパルスがそれぞれ送られる、Ｎ個（たとえば、６４個）の周期的パルス間隔が存在する。各パルス間隔は、０ビット値のために予約された８つの時間ホッピング間隔を含み、別の８つの時間ホッピング間隔は、１ビット値のために予約される。したがって、パルス間隔の周期Ｐ０は１６個の時間ホッピング間隔である。さらに、この例によれば、概周期的パルスシーケンスのパルスの周期Ｐは１４個の時間ホッピング間隔である。したがって、パルスの周期Ｐはパルス間隔の周期Ｐ０よりも小さく（または逆に、周期的パルスのレートはパルス間隔のレートよりも大きく）、その結果、いくつかのパルス間隔内に２つのパルスの送信がスケジューリングされることになる。
【００２４】
たとえば、この例について考えてみると、第１のパルスは、パルス間隔１のビット０値の時間ホッピング間隔４中に送信される。パルス周期が１４個の時間ホッピング間隔である場合、第２のパルスは、パルス間隔２のビット０値の時間ホッピング間隔２中に送信される。第３のパルスは、パルス間隔３のビット０値の時間ホッピング間隔０中に送信される。第４のパルスは、パルス間隔３のビット１値の時間ホッピング間隔６中に送信されるようにスケジュールされる。したがって、第４のパルスが送信された場合、それは、単一のパルス間隔内に２つ以上のパルスが送信されてはならないというルールに違反する。したがって、この例では、第４のパルスの送信は抑制される。第４のパルスの送信を抑制する代わりに、第３のパルスの送信が抑制され得ることを理解されたい。準周期的パルスシーケンスの送信は、シーケンスの長さにわたって、およびもしあれば、後続のパルスシーケンスについて、このようにして続く。
【００２５】
図４に、本開示の別の態様による別の例示的な準周期的パルスシーケンスのグラフを示す。この例では、概周期的パルスシーケンスのパルスの周期Ｐはパルス間隔の周期Ｐ０よりも大きい（または逆に、周期パルスのレートはパルス間隔のレートよりも小さい）。したがって、周期Ｐに従ってパルスが送信されるようにスケジュールされていない各パルス間隔については、そのようなパルス間隔内にダミーまたは非周期パルス（たとえば、受信機によって同期のために使用されないパルス）が送信される。この特定の例では、パルスの周期Ｐは１８個の時間ホッピング間隔であり、パルス間隔の周期Ｐ０は１６である。
【００２６】
この例について考えてみると、第１のパルスは、パルス間隔１のビット１値の時間ホッピング間隔１中に送信される。パルス周期が１８個の時間ホッピング間隔である場合、第２のパルスは、パルス間隔２のビット１値の時間ホッピング間隔３中に送信される。第３のパルスは、パルス間隔３のビット１値の時間ホッピング間隔５中に送信される。第４のパルスは、パルス間隔４のビット１値の時間ホッピング間隔７中に送信される。第５のパルスは、パルス間隔６のビット０値の時間ホッピング間隔１中に送信されるようにスケジュールされるので、パルス間隔５内に送信されるべきパルスは存在しない。したがって、パルス間隔ごとに１パルスを送信するというルールに適合するように、パルス間隔５内のどこかでダミーパルスが送信される。この例では、パルス間隔５のビット０値の時間ホッピング間隔７中にダミーまたは非周期パルスが送信される。準周期的パルスシーケンスの送信は、シーケンスの長さにわたって、およびもしあれば、後続のパルスシーケンスについて、このようにして続く。
【００２７】
図５に、本開示の別の態様による、１つまたは複数の準周期的パルスシーケンスを備えるプリアンブルをもつフレームを送信する例示的な方法５００の流れ図を示す。方法５００は、パルス間隔の周期Ｐ０よりも大きいまたは小さい周期Ｐを有する基本的な概周期的パルスシーケンスに一般的である。方法５００によれば、送信される現在のパルスシーケンスを表す変数ｊを１に設定する（ブロック５０２）。さらに、現在のパルスシーケンスのパルスが送信される現在のパルス間隔を表す変数ｋもまた１に設定する（ブロック５０４）。
【００２８】
次いで、パルス間隔（１）内にパルスを送信する（ブロック５０６）。次いで、新しいまたは現在のパルス間隔を識別するために、変数ｋを１だけ増分する（ブロック５０８）。次いで、送信されるべき次のパルスが、前のパルス間隔（ｋ−１）内にあるのか、現在のパルス間隔（ｋ）内にあるのか、または次のパルス間隔（ｋ＋１）内にあるのかに関する判断を行う（ブロック５１０）。ブロック５１２に従って、次のパルスが前のパルス間隔（ｋ−１）内に送信されるようにスケジュールされていると判断された場合、次のパルスの送信は抑制またはキャンセルされる（ブロック５１４）。これにより、前のパルス間隔（ｋ−１）内での２つのパルスの送信が防止される。ブロック５１４から、方法５００はブロック５２２に進む。
【００２９】
一方、ブロック５１２に従って、次のパルスが現在のパルス間隔（ｋ）内に送信されるようにスケジュールされていると判断された場合、現在のパルス周期（ｋ）内に次のパルスの送信が実行される（ブロック５１６）。方法５００は、次いでブロック５２２に進む。しかしながら、ブロック５１２に従って、次のパルスが次のパルス間隔（ｋ＋１）内に送信されるようにスケジュールされていると判断された場合、現在のパルス間隔（ｋ）内にダミーパルスを送信する（ブロック５１８）。これは、パルス間隔ごとに１パルスが送信されることを保証するためである。次いで、次のパルス間隔（ｋ＋１）を現在のパルス間隔（ｋ）として識別するように、変数ｋを増分する（ブロック５２０）。次いで、「新しい」現在のパルス周期（ｋ）内に次のパルスの送信が実行される（ブロック５１６）。方法５００は、次いでブロック５２２に進む。
【００３０】
ブロック５２２において、変数ｋが、パルスシーケンス中のパルス間隔の数であるＮ（たとえば、６４）よりも大きいかどうかに関する判断が行われる。ブロック５２２に従って、変数ｋがＮよりも大きくないと判断された場合、これは、現在のパルスシーケンス（ｊ）のすべてのパルスが送信されたとは限らないことを意味し、方法５００はブロック５０８に進んで、前に説明したように、次のパルスの送信に関連するプロセスを繰り返す。一方、ブロック５２２に従って、変数ｋがＮよりも大きいと判断された場合、これは、現在のパルスシーケンス（ｊ）のパルスのすべてが送信されたことを意味し、送信されるべき次のパルスシーケンスを識別するように、変数ｊを増分する（ブロック５２４）。
【００３１】
ブロック５２６において、変数ｊが、フレームのプリアンブル中のパルスシーケンスの数であるＭよりも大きいかどうかに関する判断が行われる（ブロック５２６）。ブロック５２６に従って、変数ｊがＭよりも大きくないと判断された場合、これは、現在のフレーム中のすべてのパルスシーケンスが送信されたとは限らないことを意味し、方法５００はブロック５０４に進んで、次のパルスシーケンスの送信に関連するプロセスを繰り返す。一方、ブロック５２６に従って、変数ｊがＭよりも大きいと判断された場合、これは、現在のフレームのパルスシーケンスのすべてが送信されたことを意味し、現在のフレームのためのパルスシーケンスの送信が終了する（ブロック５２８）。
【００３２】
図６に、本開示の別の態様による、信号を送信するための例示的な装置６００のブロック図を示す。装置６００は、準周期的パルスシーケンス生成器６０２と送信回路６０４とを備える。準周期的パルスシーケンス生成器６０２は、概周期的パルスシーケンスに基づいて準周期的パルスシーケンスを生成するように適応される。また、送信回路６０２は、準周期的パルスシーケンスを含む信号を送信するように適応される。したがって、準周期的パルスシーケンスを生成するための手段は、生成器、プロセッサまたは回路を備え得、信号を送信するための手段は送信機を備え得る。
【００３３】
図７に、本開示の別の態様による例示的な受信機７００のブロック図を示す。要約すれば、受信機７００は、受信信号の１つまたは複数のフレーム中の１つまたは複数の準周期的シーケンスを検出し、１つまたは複数の準周期的シーケンスの検出から導出されたタイミング情報を使用して１つまたは複数のフレームを検出し、検出された１つまたは複数のフレームから（もしあれば）データを抽出し、（もしあれば）そのデータをデータシンクに与えるように適応される。
【００３４】
特に、受信機７００は、アンテナ７０２と、ＲＦ回路７０４と、サンプル生成器７０６と、準周期的パルスシーケンス検出器７０８と、フレーム検出器７１０と、データ抽出器７１２と、データシンク７１４とを備える。アンテナ７０２は、ワイヤレス媒体を介してリモートデバイスから送信された受信信号をピックアップする。受信信号は１つまたは複数のフレームを備え、各フレームは、プリアンブルとデータペイロードとを含む。プリアンブルは、１つまたは複数の準周期的パルスシーケンスを備え、データペイロードはパルス変調データを有し得る。ＲＦ回路７０４は、受信信号を処理する（たとえば、増幅、フィルタ処理、ダウンコンバート、および／または他の処理を行う）。サンプル生成器７０６は、処理された受信信号のサンプルを生成する。
【００３５】
以下でより詳細に説明するように、準周期的パルスシーケンス検出器７０８は、受信信号の各フレーム中の１つまたは複数の準周期的パルスシーケンスを検出し、前記検出に基づいてタイミング情報を生成するように適応される。フレーム検出器７１０は、準周期的シーケンス検出器７０８によって与えられたタイミング情報に基づいて受信信号のフレームを検出するように適応される。データ抽出器７１２は、フレームのデータペイロード部分内の受信信号のサンプルを分析することによって各フレームからデータを抽出し、処理のために、抽出されたデータをデータシンク７１４に与えるように適応される。
【００３６】
ＲＦ回路７０４は、受信機、回路、プロセッサ、ＡＳＩＣ、ＰＬＡ、それらの任意の組合せ、または他の電子機器として実装され得る、信号を受信するための手段の一例にすぎない。サンプル生成器は、回路、プロセッサ、ＡＳＩＣ、ＰＬＡ、それらの任意の組合せ、または他の電子機器として実装され得る、受信信号のサンプルを生成するための手段の一例にすぎない。フレーム検出器７１０は、回路、プロセッサ、ＡＳＩＣ、ＰＬＡ、それらの任意の組合せ、または他の電子機器として実装され得る、フレームを検出するための手段の一例にすぎない。データ抽出器７１２は、回路、プロセッサ、ＡＳＩＣ、ＰＬＡ、それらの任意の組合せ、または他の電子機器として実装され得る、フレームからデータを抽出するための手段の一例にすぎない。
【００３７】
同様に、準周期的シーケンス検出器７０８は、回路、プロセッサ、ＡＳＩＣ、ＰＬＡ、それらの任意の組合せ、または他の電子機器として実装され得る、準周期的シーケンスを検出するための手段の一例にすぎない。以下でより詳細に説明するように、準周期的パルスシーケンスを検出するための手段は、（１）受信信号中のパルスに関連する生成されたサンプル受信信号のうちの第１のサンプルを判断するための手段と、（２）第１のサンプルと、概周期的パルスシーケンスに関連する周期とに基づいて、そのサンプルの分析を実行するための手段と、（３）サンプルの第１の分析の結果として準周期的パルスシーケンスの検出が行われたかどうかを判断するための手段と、（４）第１の分析の結果として準周期的パルスシーケンスの検出が行われなかった場合、受信信号中の第２のパルスに関連する生成されたサンプルの第２のサンプルを判断するための手段と、（５）第２のサンプルと、概周期的パルスシーケンスに関連する周期とに基づいて、生成されたサンプルのうちのサンプルの第２の分析を実行することのための手段とを備え得る。これらの手段は、回路、プロセッサ、ＡＳＩＣ、ＰＬＡ、それらの任意の組合せ、または他の電子機器として実装され得る。
【００３８】
図８に、本開示の別の態様による、受信信号中の１つまたは複数の準周期的パルスシーケンスを検出する例示的な方法８００の流れ図を示す。方法８００は、準周期的シーケンス検出器７０８または何らかの他のデバイスによって実装され得る。方法８００によれば、検出器７０８は、サンプル生成器７０６によって生成されたサンプルから、受信信号中のパルスに関連するサンプルを検出する（ブロック８０２）。検出器７０８は、次いで、そのサンプルを基準サンプルとして設定する（ブロック８０４）。検出器７０８は、次いで、基準サンプルと概周期的パルスシーケンスの周期Ｐとに基づいて、パルスを検出するためにサンプルを分析する（ブロック８０６）。たとえば、分析され得るサンプルはａ＋ｂＰによって与えられ、ここで、ａは基準サンプルを表し、Ｐは、概周期的パルスシーケンスのパルスの、サンプルに関する周期であり、ｂは１からＮ−１までの整数あり、Ｎは準周期的パルスシーケンス中のパルスの数である。パルスの検出は、畳み込みアルゴリズムなど、相関アルゴリズムによって達成され得る。
【００３９】
ブロック８０８において、検出器７０８は、準周期的パルスシーケンスがブロック８０６による分析に基づいて検出されたかどうかを判断する。準周期的パルスシーケンスが検出されなかった場合、これは、検出された最初のパルスまたは基準パルスが意図された準周期的パルスシーケンスの一部でない場合であり得、検出器７０８は、受信信号中の別のパルスに関連する別のサンプルを選択する（ブロック８１０）。方法８００は、ブロック８１０からブロック８０４に進み、次いで、意図された準周期的パルスシーケンスを検出することを試みるためにブロック８０６に進む。一方、ブロック８０８において、準周期的パルスシーケンスが検出されたと検出器７０８が判断した場合、検出器は、対応するフレームの検出のために、検出された準周期的パルスシーケンスに関連するタイミング情報をフレーム検出器７１０に与える（ブロック８１２）。
【００４０】
図９に、本開示の別の態様による別の例示的な受信機９００のブロック図を示す。受信機９００は、信号受信回路９０２と、サンプル生成回路９０４と、準周期的パルスシーケンス検出器９０６とを備える。信号受信回路９０２は、概周期的パルスシーケンスに基づく準周期的パルスシーケンスを含む信号を受信するように適応される。サンプル生成回路９０４は、受信信号のサンプルを生成するように適応される。また、準周期的パルスシーケンス検出器９０６は、受信信号のサンプルを分析することによって受信信号中の準周期的パルスシーケンスを検出するように適応される。
【００４１】
図１０に、本開示の別の態様による例示的な通信デバイス１０００のブロック図を示す。通信デバイス１０００は、１つまたは複数の準周期的パルスシーケンスを送信および検出するための前に説明した装置のいずれかを使用する通信デバイスの１つの例示的な実装形態であり得る特に、通信デバイス１０００は、アンテナ１００２と、インピーダンス整合フィルタ１００４と、低雑音増幅器（ＬＮＡ）１００６と、受信信号処理モジュール１００８と、データシンク１０１０と、データソース１０１２と、送信信号処理モジュール１０１４と、電力増幅器（ＰＡ）１０１６とを備える。
【００４２】
受信機として動作する通信デバイス１０００に関して、ＲＦ信号が、アンテナ１００２によってピックアップされ、インピーダンス整合フィルタ１００４を介してＬＮＡ１００６に適用される。ＬＮＡ１００６は受信ＲＦ信号を増幅する。パルス復調器１００８は、たとえば、受信信号のサンプルを生成し、サンプルを分析することによって準周期的パルスシーケンスを検出し、準周期的パルスシーケンスの検出に基づいてフレームを検出し、フレームからデータを抽出することによって、受信信号を処理する。抽出されたデータは、次いでデータシンク１０１０に与えられる。次いで、データシンク１０１０が、受信データに基づいて１つまたは複数の定義された動作を実行し得る。たとえば、データプロセッサは、マイクロプロセッサ、マイクロコントローラ、縮小命令セットコンピュータ（ＲＩＳＣ）プロセッサ、ディスプレイ、ゲーム、スピーカーなどのトランスデューサを含むヘッドセットなど、オーディオデータを処理するように適応されたオーディオデバイス、医療デバイス、シュー、ウォッチ、データに応答するロボットデバイスまたは機械デバイス、ディスプレイなど、指示を生成するように適応されたユーザインターフェース、１つまたは複数の発光ダイオード（ＬＥＤ）などを含み得る。
【００４３】
トランシーバとして動作する通信デバイス１０００に関して、データソース１０１２によってデータが生成される。送信信号１０１４は、１つまたは複数の準周期的パルスシーケンスを各フレームのプリアンブルに挿入し、データソース１０１２からのデータを各フレームのデータペイロードに挿入し、各フレームをパルス変調することによって、フレームを含むＲＦ送信信号を形成する。ＰＡ１０１６はＲＦ送信信号を増幅する。アンテナ１００２は、インピーダンス整合フィルタ１００４を介してＰＡ１０１６からＲＦ送信信号を受信し、宛先通信デバイスへの送信のために、ＲＦ送信信号をワイヤレス媒体中に放射する。データソース１０１２は、パラメータを感知し、感知されたパラメータを示す信号を与えるように適応されたセンサを備える感知デバイス、マイクロプロセッサ、マイクロコントローラ、ＲＩＳＣプロセッサ、キーボード、マウスまたはトラックボールなどのポインティングデバイス、マイクロフォンなどのトランスデューサを含むヘッドセットなどのオーディオデバイス、ゲーム、医療デバイス、シュー、データを生成するロボットデバイスまたは機械デバイス、タッチセンシティブディスプレイなどのユーザインターフェース、ユーザデバイスなどによって生成され得る。
【００４４】
図１１Ａに、本明細書で説明する通信システム、デバイス、および装置のいずれかにおいて採用され得るパルス変調の一例として、異なるパルス繰返し周波数（ＰＲＦ）を用いて定義される異なるチャネル（チャネル１および２）を示す。詳細には、チャネル１に関するパルスは、パルス間遅延期間１１０２に対応するパルス繰返し周波数（ＰＲＦ）を有する。反対に、チャネル２に関するパルスは、パルス間遅延期間１１０４に対応するパルス繰返し周波数（ＰＲＦ）を有する。したがって、この技法を使用して、２つのチャネル間のパルス衝突の可能性が比較的低い擬直交チャネルを定義し得る。具体的には、パルスに対して低いデューティサイクルを使用することによって、パルス衝突の可能性を低くし得る。たとえば、パルス繰返し周波数（ＰＲＦ）を適切に選択することにより、所与のチャネルに関する実質的にすべてのパルスを、他のチャネルに関するパルスとは異なる時間に送信し得る。
【００４５】
所与のチャネルについて定義されるパルス繰返し周波数（ＰＲＦ）は、そのチャネルによってサポートされる１つまたは複数のデータレートに依存し得る。たとえば、極めて低い（たとえば、数キロビット毎秒またはＫｂｐｓのオーダーの）データレートをサポートするチャネルは、対応する低いパルス繰返し周波数（ＰＲＦ）を採用し得る。反対に、比較的高い（たとえば、数メガビット毎秒またはＭｂｐｓのオーダーの）データレートをサポートするチャネルは、相応してより高いパルス繰返し周波数（ＰＲＦ）を採用し得る。
【００４６】
図１１Ｂに、本明細書で説明する通信システムのいずれかにおいて採用され得る変調の一例として、異なるパルス位置またはオフセットを用いて定義される異なるチャネル（チャネル１および２）を示す。チャネル１に関するパルスは、（たとえば、図示されない所与の時点に対する）第１のパルスオフセットに従って、線１１０６によって表される時点に生成される。反対に、チャネル２に関するパルスは、第２のパルスオフセットに従って、線１１０８によって表される時点に生成される。（矢印１１１０によって表される）パルス間のパルスオフセット差を仮定すれば、この技法を使用して、２つのチャネル間のパルス衝突の可能性を低減し得る。（たとえば、本明細書で説明するように）チャネルについて定義される他のシグナリングパラメータと、デバイス間のタイミングの精度（たとえば、相対クロックドリフト）とに応じて、異なるパルスオフセットの使用は、直交または擬直交チャネルを与えるために使用され得る。
【００４７】
図１１Ｃに、本明細書で説明する通信システムのいずれかにおいて採用され得る異なるタイミングホッピングシーケンスを用いて定義される異なるチャネル（チャネル１および２）を示す。たとえば、チャネル１に関するパルス１１１２をある時間ホッピング間隔に従う時間に生成し得、チャネル２に関するパルス１１１４を別の時間ホッピング間隔に従う時間に生成し得る。使用される特定のシーケンスとデバイス間のタイミングの精度とに応じて、この技法を使用して、直交または擬直交チャネルを与え得る。たとえば、時間ホッピングパルス位置は、隣接するチャネルからの反復パルス衝突の可能性を低減するために、周期的でなくてもよい。
【００４８】
図１１Ｄに、本明細書で説明する通信システムのいずれかにおいて採用され得るパルス変調の一例として、異なるタイムスロットを用いて定義される異なるチャネルを示す。チャネルＬ１に関するパルスは特定の時間インスタンスにおいて生成される。同様に、チャネルＬ２に関するパルスは他の時間インスタンスにおいて生成される。同様に、チャネルＬ３に関するパルスは、さらに他の時間インスタンスにおいて生成される。一般に、異なるチャネルに関係する時間インスタンスは、様々なチャネル間の干渉を低減するか、またはなくすために、一致しないか、または直交しなくてもよい。
【００４９】
パルス変調方式に従ってチャネルを定義するために、他の技法を使用し得ることを諒解されたい。たとえば、異なる拡散擬似乱数列、あるいは何らかの他の好適な１つまたは複数のパラメータに基づいて、チャネルを定義し得る。さらに、２つ以上のパラメータの組合せに基づいてチャネルを定義し得る。
【００５０】
図１２に、本開示の別の態様による、様々なチャネルを介して互いに通信する様々な超広帯域（ＵＷＢ）通信デバイスのブロック図を示す。たとえば、ＵＷＢデバイス１  １２０２は、２つの同時ＵＷＢチャネル１および２を介してＵＷＢデバイス２  １２０４と通信している。ＵＷＢデバイス１２０２は、単一のチャネル３を介してＵＷＢデバイス３  １２０６と通信している。そして、ＵＷＢデバイス３  １２０６は、単一のチャネル４を介してＵＷＢデバイス４  １２０８と通信している。他の構成も可能である。通信デバイスは、多くの様々な適用例のために使用され得、たとえば、ヘッドセット、マイクロフォン、生体センサ、心拍数モニタ、歩数計、心電図デバイス、ウォッチ、シュー、遠隔制御装置、スイッチ、タイヤ圧力モニタ、ゲーム機または他の通信デバイスに実装され得る。医療デバイスは、スマートバンドエイド、センサ、バイタルサインモニタなどを含み得る。本明細書で説明する通信デバイスは、自動車応答、運動応答、および生理的（医療）応答を感知するためなどの任意のタイプの感知適用例に使用され得る。
【００５１】
本開示の上記の態様のいずれも多くの様々なデバイスに実装され得る。たとえば、上記で説明した医療適用例に加えて、本開示の態様をヘルスおよびフィットネス適用例に適用し得る。さらに、本開示の態様は、様々なタイプの適用例のためのシューに実装され得る。本明細書で説明する開示の任意の態様を組み込み得る他の多数の適用例がある。
【００５２】
本開示の様々な態様について上記で説明した。本明細書の教示は多種多様な形態で実施され得、本明細書で開示されている特定の構造、機能、またはその両方は代表的なものにすぎないことは明らかであろう。本明細書の教示に基づいて、本明細書で開示される態様は他の態様とは独立に実装され得ること、およびこれらの態様のうちの２つ以上は様々な方法で組み合わせられ得ることを、当業者なら諒解されたい。たとえば、本明細書に記載の態様をいくつ使用しても、装置を実装し、または方法を実施し得る。さらに、本明細書に記載の態様のうちの１つまたは複数に加えて、あるいはそれら以外の他の構造、機能、または構造および機能を使用して、そのような装置を実装し得、またはそのような方法を実施し得る。上記の概念のうちのいくつかの一例として、いくつかの態様では、パルス繰返し周波数に基づいて同時チャネルを確立し得る。いくつかの態様では、パルス位置またはオフセットに基づいて同時チャネルを確立し得る。いくつかの態様では、時間ホッピング間隔に基づいて同時チャネルを確立し得る。いくつかの態様では、パルス繰返し周波数、パルス位置またはオフセット、および時間ホッピング間隔に基づいて、同時チャネルを確立し得る。
【００５３】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００５４】
さらに、本明細書で開示する態様に関して説明した様々な例示的な論理ブロック、モジュール、プロセッサ、手段、回路、およびアルゴリズムステップは、電子ハードウェア（たとえば、ソースコーディングまたは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装され得ることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【００５５】
本明細書で開示する態様に関して説明した様々な例示的な論理ブロック、モジュールおよび回路は、集積回路（「ＩＣ」）、アクセス端末、またはアクセスポイント内に実装されるか、またはそれらによって実行され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電気構成要素、光学構成要素、機械構成要素、または本明細書で説明する機能を実行するように設計されたそれらの任意の組合せを備え得、ＩＣの内部に、ＩＣの外側に、またはその両方に常駐するコードまたは命令を実行し得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００５６】
開示したプロセス中のステップの特定の順序または階層は例示的な手法の一例であることを理解されたい。設計の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【００５７】
本明細書で開示する態様に関して説明した方法またはアルゴリズムのステップは、直接ハードウェアで実施されるか、プロセッサによって実行されるソフトウェアモジュールで実施されるか、またはその２つの組合せで実施され得る。（たとえば、装置によって実行可能な命令および関係するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他の形態のコンピュータ可読記憶媒体など、データメモリ中に常駐し得る。プロセッサが記憶媒体から情報（たとえばコード）を読み取り、情報を記憶媒体に書き込むことができるように、例示的な記憶媒体を、たとえばコンピュータ／プロセッサ（便宜上、本明細書では「プロセッサ」と呼ぶことがある）などのマシンに結合し得る。例示的な記憶媒体はプロセッサと一体であり得る。プロセッサおよび記憶媒体はＡＳＩＣ中に常駐し得る。ＡＳＩＣはユーザ機器中に常駐し得る。代替として、プロセッサおよび記憶媒体はユーザ機器中の個別構成要素として常駐し得る。さらに、いくつかの態様では、任意の好適なコンピュータプログラム製品は、本開示の態様のうちの１つまたは複数に関係するコードを備えるコンピュータ可読媒体を備え得る。いくつかの態様では、コンピュータプログラム製品はパッケージ材料を備え得る。コンピュータ可読媒体は非一時的データを記憶し得る。さらに、コンピュータ可読媒体は、信号データなどの一時的データをも記憶し得る。
【００５８】
本発明について様々な態様に関して説明したが、本発明はさらなる変更が可能であることが理解されよう。本出願は、一般に、本発明が関係する当技術分野における既知の慣行に含まれるような本開示からの逸脱を含む、本発明の原理に従ういかなる変形形態、使用または適応をも包含するものとする。
【図１】
2013532419.tif 000003
【図２】
2013532419.tif 000004
【図３】
2013532419.tif 000005
【図４】
2013532419.tif 000006
【図５】
2013532419.tif 000007
【図６】
2013532419.tif 000008
【図７】
2013532419.tif 000009
【図８】
2013532419.tif 000010
【図９】
2013532419.tif 000011
【図１０】
2013532419.tif 000012
【図１１Ａ】
2013532419.tif 000013
【図１１Ｂ】
2013532419.tif 000014
【図１１Ｃ】
2013532419.tif 000015
【図１１Ｄ】
2013532419.tif 000016
【図１２】
2013532419.tif 000017
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
信号を送信する方法であって、
概周期的パルスシーケンスに基づいて準周期的パルスシーケンスを生成することであって、前記準周期的パルスシーケンスが、第１のレートのパルスのシーケンスを備え、前記概周期的パルスシーケンスが、第２のレートの周期的パルスのシーケンスを備え、前記第１のレートが前記第２のレートよりも大きく、前記準周期的パルスシーケンスが前記概周期的パルスシーケンス＋１つまたは複数の非周期的パルスに基づくか、または前記第１のレートが前記第２のレートよりも小さく、前記準周期的パルスシーケンスが前記概周期的パルスシーケンス−１つまたは複数の周期的パルスに基づき、どちらの場合も、前記準周期的パルスシーケンスのパルスがそれぞれパルス間隔内に位置し、さらに、前記準周期的パルスシーケンスの各パルスが、各パルス間隔内の時間ホッピング間隔内に位置する、生成することと、
前記準周期的パルスシーケンスを備える前記信号を送信することと
を備える、方法。
【請求項２】
前記第１のレートは、前記信号がそれを介して送信される通信チャネルを定義するために使用される、請求項１に記載の方法
【請求項３】
データペイロードと、前記準周期的パルスシーケンスを含むプリアンブルとを備えるフレームを生成することをさらに備え、前記送信信号が前記フレームを備える、請求項１に記載の方法。
【請求項４】
信号を送信するための装置であって、
概周期的パルスシーケンスに基づいて準周期的パルスシーケンスを生成するように適応されたパルスシーケンス生成器であって、前記準周期的パルスシーケンスが、第１のレートのパルスのシーケンスを備え、前記概周期的パルスシーケンスが、第２のレートの周期的パルスのシーケンスを備え、前記第１のレートが前記第２のレートよりも大きく、前記準周期的パルスシーケンスが前記概周期的パルスシーケンス＋１つまたは複数の非周期的パルスに基づくか、または前記第１のレートが前記第２のレートよりも小さく、前記準周期的パルスシーケンスが前記概周期的パルスシーケンス−１つまたは複数の周期的パルスに基づき、どちらの場合も、前記準周期的パルスシーケンスのパルスがそれぞれパルス間隔内に位置し、さらに、前記準周期的パルスシーケンスの各パルスが、各パルス間隔内の時間ホッピング間隔内に位置する、パルスシーケンス生成器と、
前記準周期的パルスシーケンスを備える前記信号を送信するように適応された送信機と
を備える、装置。
【請求項５】
前記第１のレートは、前記信号がそれを介して送信される通信チャネルを定義するために使用される、請求項４に記載の装置。
【請求項６】
データペイロードと、前記準周期的パルスシーケンスを含むプリアンブルとを備えるフレームを生成するように適応されたフレーム生成器をさらに備え、前記送信信号が前記フレームを備える、請求項４に記載の装置。
【請求項７】
信号を送信するための装置であって、
概周期的パルスシーケンスに基づいて準周期的パルスシーケンスを生成するための手段であって、前記準周期的パルスシーケンスが、第１のレートのパルスのシーケンスを備え、前記概周期的パルスシーケンスが、第２のレートの周期的パルスのシーケンスを備え、前記第１のレートが前記第２のレートよりも大きく、前記準周期的パルスシーケンスが前記概周期的パルスシーケンス＋１つまたは複数の非周期的パルスに基づくか、または前記第１のレートが前記第２のレートよりも小さく、前記準周期的パルスシーケンスが前記概周期的パルスシーケンス−１つまたは複数の周期的パルスに基づき、どちらの場合も、前記準周期的パルスシーケンスのパルスがそれぞれパルス間隔内に位置し、さらに、前記準周期的パルスシーケンスの各パルスが、各パルス間隔内の時間ホッピング間隔内に位置する、生成するための手段と、
前記準周期的パルスシーケンスを備える前記信号を送信するための手段と
を備える、装置。
【請求項８】
前記第１のレートは、前記信号がそれを介して送信される通信チャネルを定義するために使用される、請求項７に記載の装置。
【請求項９】
データペイロードと、前記準周期的パルスシーケンスを含むプリアンブルとを備えるフレームを生成するための手段をさらに備え、前記送信信号が前記フレームを備える、請求項７に記載の装置。
【請求項１０】
概周期的パルスシーケンスに基づいて準周期的パルスシーケンスを生成することであって、前記準周期的パルスシーケンスが、第１のレートのパルスのシーケンスを備え、前記概周期的パルスシーケンスが、第２のレートの周期的パルスのシーケンスを備え、前記第１のレートが前記第２のレートよりも大きく、前記準周期的パルスシーケンスが前記概周期的パルスシーケンス＋１つまたは複数の非周期的パルスに基づくか、または前記第１のレートが前記第２のレートよりも小さく、前記準周期的パルスシーケンスが前記概周期的パルスシーケンス−１つまたは複数の周期的パルスに基づき、どちらの場合も、前記準周期的パルスシーケンスのパルスがそれぞれパルス間隔内に位置し、さらに、前記準周期的パルスシーケンスの各パルスが、各パルス間隔内の時間ホッピング間隔内に位置する、生成することと、
前記準周期的パルスシーケンスを備える前記信号を送信することと
を行うための、装置によって実行可能な命令を備えるコンピュータ可読媒体
を備える、コンピュータプログラム製品。
【請求項１１】
オーディオデータを生成するように適応されたトランスデューサと、
概周期的パルスシーケンスに基づいて準周期的パルスシーケンスを生成するように適応されたパルスシーケンス生成器であって、前記準周期的パルスシーケンスが、第１のレートのパルスのシーケンスを備え、前記概周期的パルスシーケンスが、第２のレートの周期的パルスのシーケンスを備え、前記第１のレートが前記第２のレートよりも大きく、前記準周期的パルスシーケンスが前記概周期的パルスシーケンス＋１つまたは複数の非周期的パルスに基づくか、または前記第１のレートが前記第２のレートよりも小さく、前記準周期的パルスシーケンスが前記概周期的パルスシーケンス−１つまたは複数の周期的パルスに基づき、どちらの場合も、前記準周期的パルスシーケンスのパルスがそれぞれパルス間隔内に位置し、さらに、前記準周期的パルスシーケンスの各パルスが、各パルス間隔内の時間ホッピング間隔内に位置する、パルスシーケンス生成器と、
前記オーディオデータと前記準周期的パルスシーケンスとを備える信号を送信するように適応された送信機と
を備える、ヘッドセット。
【請求項１２】
データを生成するように適応されたユーザインターフェースと、
概周期的パルスシーケンスに基づいて準周期的パルスシーケンスを生成するように適応されたパルスシーケンス生成器であって、前記準周期的パルスシーケンスが、第１のレートのパルスのシーケンスを備え、前記概周期的パルスシーケンスが、第２のレートの周期的パルスのシーケンスを備え、前記第１のレートが前記第２のレートよりも大きく、前記準周期的パルスシーケンスが前記概周期的パルスシーケンス＋１つまたは複数の非周期的パルスに基づくか、または前記第１のレートが前記第２のレートよりも小さく、前記準周期的パルスシーケンスが前記概周期的パルスシーケンス−１つまたは複数の周期的パルスに基づき、どちらの場合も、前記準周期的パルスシーケンスのパルスがそれぞれパルス間隔内に位置し、さらに、前記準周期的パルスシーケンスの各パルスが、各パルス間隔内の時間ホッピング間隔内に位置する、パルスシーケンス生成器と、
前記データと前記準周期的パルスシーケンスとを備える信号を送信するように適応された送信機と
を備える、ウォッチ。
【請求項１３】
感知パラメータに基づいてデータを生成するように適応されたセンサと、
概周期的パルスシーケンスに基づいて準周期的パルスシーケンスを生成するように適応されたパルスシーケンス生成器であって、前記準周期的パルスシーケンスが、第１のレートのパルスのシーケンスを備え、前記概周期的パルスシーケンスが、第２のレートの周期的パルスのシーケンスを備え、前記第１のレートが前記第２のレートよりも大きく、前記準周期的パルスシーケンスが前記概周期的パルスシーケンス＋１つまたは複数の非周期的パルスに基づくか、または前記第１のレートが前記第２のレートよりも小さく、前記準周期的パルスシーケンスが前記概周期的パルスシーケンス−１つまたは複数の周期的パルスに基づき、どちらの場合も、前記準周期的パルスシーケンスのパルスがそれぞれパルス間隔内に位置し、さらに、前記準周期的パルスシーケンスの各パルスが、各パルス間隔内の時間ホッピング間隔内に位置する、パルスシーケンス生成器と、
前記データと前記準周期的パルスシーケンスとを備える信号を送信するように適応された送信機と
を備える、感知デバイス。
【請求項１４】
信号を処理する方法であって、
前記信号を受信することと、
前記受信信号のサンプルを生成することと、
前記受信信号の前記サンプルを分析することによって前記受信信号中の準周期的パルスシーケンスを検出することであって、前記準周期的パルスシーケンスが概周期的パルスシーケンスに基づき、前記準周期的パルスシーケンスが、第１のレートのパルスのシーケンスを備え、前記概周期的パルスシーケンスが、第２のレートの周期的パルスのシーケンスを備え、前記第１のレートが前記第２のレートよりも大きく、前記準周期的パルスシーケンスが前記概周期的パルスシーケンス＋１つまたは複数の非周期的パルスに基づくか、または前記第１のレートが前記第２のレートよりも小さく、前記準周期的パルスシーケンスが前記概周期的パルスシーケンス−１つまたは複数の周期的パルスに基づき、どちらの場合も、前記準周期的パルスシーケンスのパルスがそれぞれパルス間隔内に位置し、さらに、前記準周期的パルスシーケンスの各パルスが、各パルス間隔内の時間ホッピング間隔内に位置する、検出することと
を備える、方法。
【請求項１５】
前記準周期的パルスシーケンスを検出することが、
前記受信信号中の第１のパルスに関連する前記生成されたサンプルのうちの第１のサンプルを判断することと、
前記第１のサンプルと、前記概周期的パルスシーケンスに関連する周期とに基づいて、前記生成されたサンプルのうちのサンプルの第１の分析を実行することと
を備える、請求項１４に記載の方法。
【請求項１６】
前記準周期的パルスシーケンスを検出することが、
前記サンプルの前記第１の分析の結果として前記準周期的パルスシーケンスの前記検出が行われたかどうかを判断することと、
前記第１の分析の結果として前記準周期的パルスシーケンスの前記検出が行われなかった場合、前記受信信号中の第２のパルスに関連する前記生成されたサンプルのうちの第２のサンプルを判断することと、
前記第２のサンプルと、前記概周期的パルスシーケンスに関連する前記周期とに基づいて、前記生成されたサンプルのうちのサンプルの第２の分析を実行することと
をさらに備える、請求項１５に記載の方法。
【請求項１７】
前記第１の分析を実行することが、前記第１のサンプルからの、前記周期の整数倍である前記生成されたサンプルのうちのサンプルを分析することを備える、請求項１５に記載の方法。
【請求項１８】
前記準周期的パルスシーケンスの前記検出に基づいてフレームを検出することをさらに備える、請求項１４に記載の方法。
【請求項１９】
前記フレームを検出することが、前記準周期的パルスシーケンスの前記検出に関連するタイミング情報に基づく、請求項１８に記載の方法。
【請求項２０】
前記フレームのデータペイロード部分内の前記受信信号のサンプルを分析することによって、前記フレームからデータを抽出することをさらに備える、請求項１８に記載の方法。
【請求項２１】
信号を処理するための装置であって、
前記信号を受信するように適応された受信機と、
前記受信信号のサンプルを生成するように適応されたサンプル生成器と、
前記受信信号の前記サンプルを分析することによって前記受信信号中の準周期的パルスシーケンスを検出するように適応された準周期的シーケンス検出器であって、前記準周期的パルスシーケンスが概周期的パルスシーケンスに基づき、前記準周期的パルスシーケンスが、第１のレートのパルスのシーケンスを備え、前記概周期的パルスシーケンスが、第２のレートの周期的パルスのシーケンスを備え、前記第１のレートが前記第２のレートよりも大きく、前記準周期的パルスシーケンスが前記概周期的パルスシーケンス＋１つまたは複数の非周期的パルスに基づくか、または前記第１のレートが前記第２のレートよりも小さく、前記準周期的パルスシーケンスが前記概周期的パルスシーケンス−１つまたは複数の周期的パルスに基づき、どちらの場合も、前記準周期的パルスシーケンスのパルスがそれぞれパルス間隔内に位置し、さらに、前記準周期的パルスシーケンスの各パルスが、各パルス間隔内の時間ホッピング間隔内に位置する、準周期的シーケンス検出器と
を備える、装置。
【請求項２２】
前記準周期的シーケンス検出器が、
前記受信信号中の第１のパルスに関連する前記生成されたサンプルのうちの第１のサンプルを判断することと、
前記第１のサンプルと、前記概周期的パルスシーケンスに関連する周期とに基づいて、前記生成されたサンプルのうちのサンプルの第１の分析を実行することと
を行うように適応された、請求項２１に記載の装置。
【請求項２３】
前記準周期的シーケンス検出器が、
前記サンプルの前記第１の分析の結果として前記準周期的パルスシーケンスの前記検出が行われたかどうかを判断することと、
前記第１の分析の結果として前記準周期的パルスシーケンスの前記検出が行われなかった場合、前記受信信号中の第２のパルスに関連する前記生成されたサンプルのうちの第２のサンプルを判断することと、
前記第２のサンプルと、前記概周期的パルスシーケンスに関連する前記周期とに基づいて、前記生成されたサンプルのうちのサンプルの第２の分析を実行することと
を行うようにさらに適応された、請求項２２に記載の装置。
【請求項２４】
前記準周期的シーケンス検出器が、前記第１のサンプルからの、前記周期の整数倍である前記生成されたサンプルのうちのサンプルを分析するようにさらに適応された、請求項２２に記載の装置。
【請求項２５】
前記準周期的パルスシーケンスの前記検出に基づいてフレームを検出するように適応されたフレーム検出器をさらに備える、請求項２１に記載の装置。
【請求項２６】
前記フレーム検出器が、前記準周期的パルスシーケンスの前記検出に関連するタイミング情報に基づいて前記フレームを検出するように適応された、請求項２５に記載の装置。
【請求項２７】
前記フレームのデータペイロード部分内の前記受信信号のサンプルを分析することによって、前記フレームからデータを抽出するように適応されたデータ抽出器をさらに備える、請求項２５に記載の装置。
【請求項２８】
信号を処理するための装置であって、
前記信号を受信するための手段と、
前記受信信号のサンプルを生成するための手段と、
前記受信信号の前記サンプルを分析することによって前記受信信号中の準周期的パルスシーケンスを検出するための手段であって、前記準周期的パルスシーケンスが概周期的パルスシーケンスに基づき、前記準周期的パルスシーケンスが、第１のレートのパルスのシーケンスを備え、前記概周期的パルスシーケンスが、第２のレートの周期的パルスのシーケンスを備え、前記第１のレートが前記第２のレートよりも大きく、前記準周期的パルスシーケンスが前記概周期的パルスシーケンス＋１つまたは複数の非周期的パルスに基づくか、または前記第１のレートが前記第２のレートよりも小さく、前記準周期的パルスシーケンスが前記概周期的パルスシーケンス−１つまたは複数の周期的パルスに基づき、どちらの場合も、前記準周期的パルスシーケンスのパルスがそれぞれパルス間隔内に位置し、さらに、前記準周期的パルスシーケンスの各パルスが、各パルス間隔内の時間ホッピング間隔内に位置する、検出するための手段と
を備える、装置。
【請求項２９】
前記準周期的パルスシーケンスを検出するための前記手段が、
前記受信信号中の第１のパルスに関連する前記生成されたサンプルのうちの第１のサンプルを判断するための手段と、
前記第１のサンプルと、前記概周期的パルスシーケンスに関連する周期とに基づいて、前記生成されたサンプルのうちのサンプルの第１の分析を実行するための手段と
を備える、請求項２８に記載の装置。
【請求項３０】
前記準周期的パルスシーケンスを検出するための前記手段が、
前記サンプルの前記第１の分析の結果として前記準周期的パルスシーケンスの前記検出が行われたかどうかを判断するための手段と、
前記第１の分析の結果として前記準周期的パルスシーケンスの前記検出が行われなかった場合、前記受信信号中の第２のパルスに関連する前記生成されたサンプルのうちの第２のサンプルを判断するための手段と、
前記第２のサンプルと、前記概周期的パルスシーケンスに関連する前記周期とに基づいて、前記生成されたサンプルのうちのサンプルの第２の分析を実行するための手段と
をさらに備える、請求項２９に記載の装置。
【請求項３１】
前記第１の分析を実行するための前記手段が、前記第１のサンプルからの、前記周期の整数倍である前記生成されたサンプルのうちのサンプルを分析するための手段を備える、請求項２９に記載の装置。
【請求項３２】
前記準周期的パルスシーケンスの前記検出に基づいてフレームを検出するための手段をさらに備える、請求項２８に記載の装置。
【請求項３３】
前記フレームを検出するための前記手段が、前記準周期的パルスシーケンスの前記検出に関連するタイミング情報に基づいて前記フレームを検出するように適応された、請求項３２に記載の装置。
【請求項３４】
前記フレームのデータペイロード部分内の前記受信信号のサンプルを分析することによって、前記フレームからデータを抽出するための手段をさらに備える、請求項３２に記載の装置。
【請求項３５】
信号を受信することと、
前記受信信号のサンプルを生成することと、
前記受信信号の前記サンプルを分析することによって前記受信信号中の準周期的パルスシーケンスを検出することであって、前記準周期的パルスシーケンスが概周期的パルスシーケンスに基づき、前記準周期的パルスシーケンスが、第１のレートのパルスのシーケンスを備え、前記概周期的パルスシーケンスが、第２のレートの周期的パルスのシーケンスを備え、前記第１のレートが前記第２のレートよりも大きく、前記準周期的パルスシーケンスが前記概周期的パルスシーケンス＋１つまたは複数の非周期的パルスに基づくか、または前記第１のレートが前記第２のレートよりも小さく、前記準周期的パルスシーケンスが前記概周期的パルスシーケンス−１つまたは複数の周期的パルスに基づき、どちらの場合も、前記準周期的パルスシーケンスのパルスがそれぞれパルス間隔内に位置し、さらに、前記準周期的パルスシーケンスの各パルスが、各パルス間隔内の時間ホッピング間隔内に位置する、検出することと
を行うための、装置によって実行可能な命令を備えるコンピュータ可読媒体
を備える、コンピュータプログラム製品。
【請求項３６】
信号を受信するように適応された受信機と、
前記受信信号のサンプルを生成するように適応されたサンプル生成器と、
前記受信信号の前記サンプルを分析することによって前記受信信号中の準周期的パルスシーケンスを検出するように適応された準周期的シーケンス検出器であって、前記準周期的パルスシーケンスが概周期的パルスシーケンスに基づき、前記準周期的パルスシーケンスが、第１のレートのパルスのシーケンスを備え、前記概周期的パルスシーケンスが、第２のレートの周期的パルスのシーケンスを備え、前記第１のレートが前記第２のレートよりも大きく、前記準周期的パルスシーケンスが前記概周期的パルスシーケンス＋１つまたは複数の非周期的パルスに基づくか、または前記第１のレートが前記第２のレートよりも小さく、前記準周期的パルスシーケンスが前記概周期的パルスシーケンス−１つまたは複数の周期的パルスに基づき、どちらの場合も、前記準周期的パルスシーケンスのパルスがそれぞれパルス間隔内に位置し、さらに、前記準周期的パルスシーケンスの各パルスが、各パルス間隔内の時間ホッピング間隔内に位置する、準周期的シーケンス検出器と、
前記受信信号に基づいてオーディオデータを生成するように適応されたトランスデューサと
を備える、ヘッドセット。
【請求項３７】
信号を受信するように適応された受信機と、
前記受信信号のサンプルを生成するように適応されたサンプル生成器と、
前記受信信号の前記サンプルを分析することによって前記受信信号中の準周期的パルスシーケンスを検出するように適応された準周期的シーケンス検出器であって、前記準周期的パルスシーケンスが概周期的パルスシーケンスに基づき、前記準周期的パルスシーケンスが、第１のレートのパルスのシーケンスを備え、前記概周期的パルスシーケンスが、第２のレートの周期的パルスのシーケンスを備え、前記第１のレートが前記第２のレートよりも大きく、前記準周期的パルスシーケンスが前記概周期的パルスシーケンス＋１つまたは複数の非周期的パルスに基づくか、または前記第１のレートが前記第２のレートよりも小さく、前記準周期的パルスシーケンスが前記概周期的パルスシーケンス−１つまたは複数の周期的パルスに基づき、どちらの場合も、前記準周期的パルスシーケンスのパルスがそれぞれパルス間隔内に位置し、さらに、前記準周期的パルスシーケンスの各パルスが、各パルス間隔内の時間ホッピング間隔内に位置する、準周期的シーケンス検出器と、
前記受信信号に基づいて指示を生成するように適応されたユーザインターフェースと
を備える、ウォッチ。
【請求項３８】
信号を受信するように適応された受信機と、
前記受信信号のサンプルを生成するように適応されたサンプル生成器と、
前記受信信号の前記サンプルを分析することによって前記受信信号中の準周期的パルスシーケンスを検出するように適応された準周期的シーケンス検出器であって、前記準周期的パルスシーケンスが概周期的パルスシーケンスに基づき、前記準周期的パルスシーケンスが、第１のレートのパルスのシーケンスを備え、前記概周期的パルスシーケンスが、第２のレートの周期的パルスのシーケンスを備え、前記第１のレートが前記第２のレートよりも大きく、前記準周期的パルスシーケンスが前記概周期的パルスシーケンス＋１つまたは複数の非周期的パルスに基づくか、または前記第１のレートが前記第２のレートよりも小さく、前記準周期的パルスシーケンスが前記概周期的パルスシーケンス−１つまたは複数の周期的パルスに基づき、どちらの場合も、前記準周期的パルスシーケンスのパルスがそれぞれパルス間隔内に位置し、さらに、前記準周期的パルスシーケンスの各パルスが、各パルス間隔内の時間ホッピング間隔内に位置する、準周期的シーケンス検出器と、
前記受信信号に基づいてパラメータを感知するように適応されたセンサと
を備える、感知デバイス。
【手続補正２】
【補正対象書類名】明細書
【補正対象項目名】００５８
【補正方法】変更
【補正の内容】
【００５８】
本発明について様々な態様に関して説明したが、本発明はさらなる変更が可能であることが理解されよう。本出願は、一般に、本発明が関係する当技術分野における既知の慣行に含まれるような本開示からの逸脱を含む、本発明の原理に従ういかなる変形形態、使用または適応をも包含するものとする。
以下に他の実施形態を示す。
［ＣＬ１］
信号を送信する方法であって、
概周期的パルスシーケンスに基づいて準周期的パルスシーケンスを生成することと、
前記準周期的パルスシーケンスを備える前記信号を送信することと
を備える、方法。
［ＣＬ２］
前記準周期的パルスシーケンスが、第１のレートのパルスのシーケンスを備え、前記概周期的パルスシーケンスが、第２のレートの周期的パルスのシーケンスを備える、ＣＬ１に記載の方法。
［ＣＬ３］
前記第１のレートが前記第２のレートよりも大きい、ＣＬ２に記載の方法。
［ＣＬ４］
前記準周期的パルスシーケンスが、前記概周期的パルスシーケンス＋１つまたは複数の非周期的パルスに基づく、ＣＬ３に記載の方法。
［ＣＬ５］
前記第１のレートが前記第２のレートよりも小さい、ＣＬ２に記載の方法。
［ＣＬ６］
前記準周期的パルスシーケンスが、前記概周期的パルスシーケンス−１つまたは複数の周期的パルスに基づく、ＣＬ５に記載の方法。
［ＣＬ７］
前記準周期的パルスシーケンスのパルスが、それぞれパルス間隔内に位置し、さらに、前記準周期的パルスシーケンスの各パルスが、各パルス間隔内の時間ホッピング間隔内に位置する、ＣＬ１に記載の方法。
［ＣＬ８］
前記第１のレートは、前記信号がそれを介して送信される通信チャネルを定義するために使用される、ＣＬ２に記載の方法。
［ＣＬ９］
データペイロードと、前記準周期的パルスシーケンスを含むプリアンブルとを備えるフレームを生成することをさらに備え、前記送信信号が前記フレームを備える、ＣＬ１に記載の方法。
［ＣＬ１０］
信号を送信するための装置であって、
概周期的パルスシーケンスに基づいて準周期的パルスシーケンスを生成するように適応されたパルスシーケンス生成器と、
前記準周期的パルスシーケンスを備える前記信号を送信するように適応された送信機と
を備える、装置。
［ＣＬ１１］
前記準周期的パルスシーケンスが、第１のレートのパルスのシーケンスを備え、前記概周期的パルスシーケンスが、第２のレートの周期的パルスのシーケンスを備える、ＣＬ１０に記載の装置。
［ＣＬ１２］
前記第１のレートが前記第２のレートよりも大きい、ＣＬ１１に記載の装置。
［ＣＬ１３］
前記準周期的パルスシーケンスが、前記概周期的パルスシーケンス＋１つまたは複数の非周期的パルスに基づく、ＣＬ１２に記載の装置。
［ＣＬ１４］
前記第１のレートが前記第２のレートよりも小さい、［ＣＬ１１］に記載の装置。
［ＣＬ１５］
前記準周期的パルスシーケンスが、前記概周期的パルスシーケンス−１つまたは複数の周期的パルスに基づく、ＣＬ１４に記載の装置。
［ＣＬ１６］
前記準周期的パルスシーケンスのパルスが、それぞれパルス間隔内に位置し、さらに、前記準周期的パルスシーケンスの各パルスが、各パルス間隔内の時間ホッピング間隔内に位置する、ＣＬ１０に記載の装置。
［ＣＬ１７］
前記第１のレートは、前記信号がそれを介して送信される通信チャネルを定義するために使用される、ＣＬ１１に記載の装置。
［ＣＬ１８］
データペイロードと、前記準周期的パルスシーケンスを含むプリアンブルとを備えるフレームを生成するように適応されたフレーム生成器をさらに備え、前記送信信号が前記フレームを備える、ＣＬ１０に記載の装置。
［ＣＬ１９］
信号を送信するための装置であって、
概周期的パルスシーケンスに基づいて準周期的パルスシーケンスを生成するための手段と、
前記準周期的パルスシーケンスを備える前記信号を送信するための手段と
を備える、装置。
［ＣＬ２０］
前記準周期的パルスシーケンスが、第１のレートのパルスのシーケンスを備え、前記概周期的パルスシーケンスが、第２のレートの周期的パルスのシーケンスを備える、ＣＬ１９に記載の装置。
［ＣＬ２１］
前記第１のレートが前記第２のレートよりも大きい、ＣＬ２０に記載の装置。
［ＣＬ２２］
前記準周期的パルスシーケンスが、前記概周期的パルスシーケンス＋１つまたは複数の非周期的パルスに基づく、ＣＬ２１に記載の装置。
［ＣＬ２３］
前記第１のレートが前記第２のレートよりも小さい、ＣＬ２０に記載の装置。
［ＣＬ２４］
前記準周期的パルスシーケンスが、前記概周期的パルスシーケンス−１つまたは複数の周期的パルスに基づく、ＣＬ２３に記載の装置。
［ＣＬ２５］
前記準周期的パルスシーケンスのパルスが、それぞれパルス間隔内に位置し、さらに、前記準周期的パルスシーケンスの各パルスが、各パルス間隔内の時間ホッピング間隔内に位置する、ＣＬ１９に記載の装置。
［ＣＬ２６］
前記第１のレートは、前記信号がそれを介して送信される通信チャネルを定義するために使用される、ＣＬ２０に記載の装置。
［ＣＬ２７］
データペイロードと、前記準周期的パルスシーケンスを含むプリアンブルとを備えるフレームを生成するための手段をさらに備え、前記送信信号が前記フレームを備える、［ＣＬ１９］に記載の装置。
［ＣＬ２８］
概周期的パルスシーケンスに基づいて準周期的パルスシーケンスを生成することと、
前記準周期的パルスシーケンスを備える前記信号を送信することと
を行うための、装置によって実行可能な命令を備えるコンピュータ可読媒体
を備える、コンピュータプログラム製品。
［ＣＬ２９］
オーディオデータを生成するように適応されたトランスデューサと、
概周期的パルスシーケンスに基づいて準周期的パルスシーケンスを生成するように適応されたパルスシーケンス生成器と、
前記オーディオデータと前記準周期的パルスシーケンスとを備える信号を送信するように適応された送信機と
を備える、ヘッドセット。
［ＣＬ３０］
データを生成するように適応されたユーザインターフェースと、
概周期的パルスシーケンスに基づいて準周期的パルスシーケンスを生成するように適応されたパルスシーケンス生成器と、
前記データと前記準周期的パルスシーケンスとを備える信号を送信するように適応された送信機と
を備える、ウォッチ。
［ＣＬ３１］
感知パラメータに基づいてデータを生成するように適応されたセンサと、
概周期的パルスシーケンスに基づいて準周期的パルスシーケンスを生成するように適応されたパルスシーケンス生成器と、
前記データと前記準周期的パルスシーケンスとを備える信号を送信するように適応された送信機と
を備える、感知デバイス。
［ＣＬ３２］
信号を処理する方法であって、
前記信号を受信することと、
前記受信信号のサンプルを生成することと、
前記受信信号の前記サンプルを分析することによって前記受信信号中の準周期的パルスシーケンスを検出することであって、前記準周期的パルスシーケンスが概周期的パルスシーケンスに基づく、検出することと
を備える、方法。
［ＣＬ３３］
前記準周期的パルスシーケンスを検出することが、
前記受信信号中の第１のパルスに関連する前記生成されたサンプルのうちの第１のサンプルを判断することと、
前記第１のサンプルと、前記概周期的パルスシーケンスに関連する周期とに基づいて、前記生成されたサンプルのうちのサンプルの第１の分析を実行することと
を備える、ＣＬ３２に記載の方法。
［ＣＬ３４］
前記準周期的パルスシーケンスを検出することが、
前記サンプルの前記第１の分析の結果として前記準周期的パルスシーケンスの前記検出が行われたかどうかを判断することと、
前記第１の分析の結果として前記準周期的パルスシーケンスの前記検出が行われなかった場合、前記受信信号中の第２のパルスに関連する前記生成されたサンプルのうちの第２のサンプルを判断することと、
前記第２のサンプルと、前記概周期的パルスシーケンスに関連する前記周期とに基づいて、前記生成されたサンプルのうちのサンプルの第２の分析を実行することと
をさらに備える、ＣＬ３３に記載の方法。
［ＣＬ３５］
前記第１の分析を実行することが、前記第１のサンプルからの、前記周期の整数倍である前記生成されたサンプルのうちのサンプルを分析することを備える、ＣＬ３３に記載の方法。
［ＣＬ３６］
前記準周期的パルスシーケンスの前記検出に基づいてフレームを検出することをさらに備える、ＣＬ３２に記載の方法。
［ＣＬ３７］
前記フレームを検出することが、前記準周期的パルスシーケンスの前記検出に関連するタイミング情報に基づく、ＣＬ３６に記載の方法。
［ＣＬ３８］
前記フレームのデータペイロード部分内の前記受信信号のサンプルを分析することによって、前記フレームからデータを抽出することをさらに備える、ＣＬ３６に記載の方法。
［ＣＬ３９］
信号を処理するための装置であって、
前記信号を受信するように適応された受信機と、
前記受信信号のサンプルを生成するように適応されたサンプル生成器と、
前記受信信号の前記サンプルを分析することによって前記受信信号中の準周期的パルスシーケンスを検出するように適応された準周期的シーケンス検出器であって、前記準周期的パルスシーケンスが概周期的パルスシーケンスに基づく、準周期的シーケンス検出器と
を備える、装置。
［ＣＬ４０］
前記準周期的シーケンス検出器が、
前記受信信号中の第１のパルスに関連する前記生成されたサンプルのうちの第１のサンプルを判断することと、
前記第１のサンプルと、前記概周期的パルスシーケンスに関連する周期とに基づいて、前記生成されたサンプルのうちのサンプルの第１の分析を実行することと
を行うように適応された、ＣＬ３９に記載の装置。
［ＣＬ４１］
前記準周期的シーケンス検出器が、
前記サンプルの前記第１の分析の結果として前記準周期的パルスシーケンスの前記検出が行われたかどうかを判断することと、
前記第１の分析の結果として前記準周期的パルスシーケンスの前記検出が行われなかった場合、前記受信信号中の第２のパルスに関連する前記生成されたサンプルのうちの第２のサンプルを判断することと、
前記第２のサンプルと、前記概周期的パルスシーケンスに関連する前記周期とに基づいて、前記生成されたサンプルのうちのサンプルの第２の分析を実行することと
を行うようにさらに適応された、ＣＬ４０に記載の装置。
［ＣＬ４２］
前記準周期的シーケンス検出器が、前記第１のサンプルからの、前記周期の整数倍である前記生成されたサンプルのうちのサンプルを分析するようにさらに適応された、ＣＬ４０に記載の装置。
［ＣＬ４３］
前記準周期的パルスシーケンスの前記検出に基づいてフレームを検出するように適応されたフレーム検出器をさらに備える、ＣＬ３９に記載の装置。
［ＣＬ４４］
前記フレーム検出器が、前記準周期的パルスシーケンスの前記検出に関連するタイミング情報に基づいて前記フレームを検出するように適応された、ＣＬ４３に記載の装置。
［ＣＬ４５］
前記フレームのデータペイロード部分内の前記受信信号のサンプルを分析することによって、前記フレームからデータを抽出するように適応されたデータ抽出器をさらに備える、ＣＬ４３に記載の装置。
［ＣＬ４６］
信号を処理するための装置であって、
前記信号を受信するための手段と、
前記受信信号のサンプルを生成するための手段と、
前記受信信号の前記サンプルを分析することによって前記受信信号中の準周期的パルスシーケンスを検出するための手段であって、前記準周期的パルスシーケンスが概周期的パルスシーケンスに基づく、検出するための手段と
を備える、装置。
［ＣＬ４７］
前記準周期的パルスシーケンスを検出するための前記手段が、
前記受信信号中の第１のパルスに関連する前記生成されたサンプルのうちの第１のサンプルを判断するための手段と、
前記第１のサンプルと、前記概周期的パルスシーケンスに関連する周期とに基づいて、前記生成されたサンプルのうちのサンプルの第１の分析を実行するための手段と
を備える、ＣＬ４６に記載の装置。
［ＣＬ４８］
前記準周期的パルスシーケンスを検出するための前記手段が、
前記サンプルの前記第１の分析の結果として前記準周期的パルスシーケンスの前記検出が行われたかどうかを判断するための手段と、
前記第１の分析の結果として前記準周期的パルスシーケンスの前記検出が行われなかった場合、前記受信信号中の第２のパルスに関連する前記生成されたサンプルのうちの第２のサンプルを判断するための手段と、
前記第２のサンプルと、前記概周期的パルスシーケンスに関連する前記周期とに基づいて、前記生成されたサンプルのうちのサンプルの第２の分析を実行するための手段と
をさらに備える、ＣＬ４７に記載の装置。
［ＣＬ４９］
前記第１の分析を実行するための前記手段が、前記第１のサンプルからの、前記周期の整数倍である前記生成されたサンプルのうちのサンプルを分析するための手段を備える、ＣＬ４７に記載の装置。
［ＣＬ５０］
前記準周期的パルスシーケンスの前記検出に基づいてフレームを検出するための手段をさらに備える、ＣＬ４６に記載の装置。
［ＣＬ５１］
前記フレームを検出するための前記手段が、前記準周期的パルスシーケンスの前記検出に関連するタイミング情報に基づいて前記フレームを検出するように適応された、ＣＬ５０に記載の装置。
［ＣＬ５２］
前記フレームのデータペイロード部分内の前記受信信号のサンプルを分析することによって、前記フレームからデータを抽出するための手段をさらに備える、ＣＬ５０に記載の装置。
［ＣＬ５３］
信号を受信することと、
前記受信信号のサンプルを生成することと、
前記受信信号の前記サンプルを分析することによって前記受信信号中の準周期的パルスシーケンスを検出することであって、前記準周期的パルスシーケンスが概周期的パルスシーケンスに基づく、検出することと
を行うための、装置によって実行可能な命令を備えるコンピュータ可読媒体
を備える、コンピュータプログラム製品。
「ＣＬ５４］
信号を受信するように適応された受信機と、
前記受信信号のサンプルを生成するように適応されたサンプル生成器と、
前記受信信号の前記サンプルを分析することによって前記受信信号中の準周期的パルスシーケンスを検出するように適応された準周期的シーケンス検出器であって、前記準周期的パルスシーケンスが概周期的パルスシーケンスに基づく、準周期的シーケンス検出器と、
前記受信信号に基づいてオーディオデータを生成するように適応されたトランスデューサと
を備える、ヘッドセット。
［ＣＬ５５］
信号を受信するように適応された受信機と、
前記受信信号のサンプルを生成するように適応されたサンプル生成器と、
前記受信信号の前記サンプルを分析することによって前記受信信号中の準周期的パルスシーケンスを検出するように適応された準周期的シーケンス検出器であって、前記準周期的パルスシーケンスが概周期的パルスシーケンスに基づく、準周期的シーケンス検出器と、
前記受信信号に基づいて指示を生成するように適応されたユーザインターフェースと
を備える、ウォッチ。
［ＣＬ５６］
信号を受信するように適応された受信機と、
前記受信信号のサンプルを生成するように適応されたサンプル生成器と、
前記受信信号の前記サンプルを分析することによって前記受信信号中の準周期的パルスシーケンスを検出するように適応された準周期的シーケンス検出器であって、前記準周期的パルスシーケンスが概周期的パルスシーケンスに基づく、準周期的シーケンス検出器と、
前記受信信号に基づいてパラメータを感知するように適応されたセンサと
を備える、感知デバイス。
【国際調査報告】
2013532419.tif 000018
2013532419.tif 000019